(57)【要約】【課題】狭い空間でも容易かつ確実に嵌合を解除することができるコネクタを低コストで提供することを目的とする。【解決手段】プラグ側のコネクタ１０のハウジング１００に対し、スライド部材３００を、リセプタクル側のコネクタ４０に対するコネクタ１０の挿抜方向にスライド移動可能に設け、スライド部材３００と、ハウジング１００のロックアーム１１０とを、糸状のロックアーム変位部材４００により連結した。スライド部材３００をハウジング１００から後方に離間する方向にスライドさせ、ハウジング１００およびガイド部材２００に対しロックアーム変位部材４００を変位させる。その変位方向は、ガイド部材２００の貫通孔２０４の出口において変換され、これによって、ロックアーム１１０の係止突起１１１がハウジング１００の内方に変位し、係止突起１１１の段部４３との係合が解除される。【選択図】図１
2010170749.tif 000002
【特許請求の範囲】
【請求項１】
光ファイバまたは電線からなる線状体を受容するコネクタであって、
前記線状体を受容する受容開口を有したハウジングと、
前記ハウジングに設けられ、他の線状体または機器に設けられた他のコネクタと嵌め合う嵌め合い部と、
前記ハウジングに設けられ、前記嵌め合い部が前記他のコネクタに嵌め合った状態を維持するため、前記ハウジングから一方向に延伸し、その先端部に前記他のコネクタに係止可能な係止突起を有したロックアームと、
前記係止突起以外の延伸部分において前記ロックアームに一端が連結され、前記ロックアームを弾性変形させることで前記係止突起を前記ハウジングの内方に向けて変位させる変位部材と、
を備えることを特徴とするコネクタ。
【請求項２】
前記ロックアームの中間部に、前記ロックアームを外力により押圧するための押圧凸部が形成され、
前記変位部材は、前記係止突起と前記押圧凸部との間の領域にて前記ロックアームに連結されていることを特徴とする請求項１に記載のコネクタ。
【請求項３】
前記ロックアームは、基端部側から規定長の位置に段部が形成され、前記段部よりも基端部側の断面積に対し、前記段部よりも先端部側の断面積が小さく形成され、
前記変位部材は、前記段部にて前記ロックアームに連結されていることを特徴とする請求項１または２に記載のコネクタ。
【請求項４】
前記変位部材は、繊維質の糸状体またはワイヤであることを特徴とする請求項１に記載のコネクタ。
【請求項５】
前記糸状体または前記ワイヤは、巻き付け、結び付け、または環状にした部分を係止することで前記ロックアームに連結されていることを特徴とする請求項４に記載のコネクタ。
【請求項６】
前記コネクタに、前記他のコネクタに対する前記コネクタの挿抜方向に沿ってスライド移動可能なスライド部材が設けられ、
前記変位部材は、前記スライド部材に他端が連結され、前記スライド部材の前記方向へのスライド移動により、前記ロックアームを弾性変形させることを特徴とする請求項１に記載のコネクタ。
【請求項７】
前記ハウジングに装着され、前記スライド部材のスライド方向を規制するガイド部材をさらに備えることを特徴とする請求項６に記載のコネクタ。
【請求項８】
前記スライド部材を前記コネクタの挿抜方向に沿ってスライド移動させることで、前記スライド部材とともに前記方向に変位する前記変位部材の変位方向を、前記ガイド部材により、前記係止突起を前記ハウジングの内方に向けて変位させる方向に変換することを特徴とする請求項７に記載のコネクタ。
【請求項９】
前記スライド部材に、当該スライド部材を前記コネクタの挿抜方向にスライド移動させるときに保持するための保持凹部が形成され、
前記線状体が一方向に並列している場合、前記保持凹部は、前記線状体の並列方向とは異なる方向に形成されていることを特徴とする請求項６に記載のコネクタ。
【発明の詳細な説明】
【技術分野】
【０００１】
本発明は、光ファイバ等の線状体の接続に用いられるコネクタに関する。
【背景技術】
【０００２】
周知の通り、光ファイバや電線を、他の光ファイバや電線、あるいは各種の機器に接続するには、コネクタが用いられている。図７（ａ）に示すように、光ファイバや電線の端部に設けられたオス型またはメス型のコネクタ１は、他の光ファイバや電線あるいは各種の機器等に設けられたメス型またはオス型のコネクタ２に嵌合する。そして、コネクタ１とコネクタ２との嵌合を維持できるよう、ロック機構を備える。
このようなロック機構は、一般に、コネクタ１に弾性変形可能なカンチレバー（片持ち梁）状のロックアーム３を設け、コネクタ２にロックアーム３が係合する係合段部４を設ける。ロックアーム３は、コネクタ１の外周面に露出する押圧部５を備え、この押圧部５を押圧することで、ロックアーム３の係合段部４への係合を解除し、コネクタ１をコネクタ２との嵌合状態から解除できるようになっている。
【０００３】
また、ロックアーム３の係合段部４への係合を解除するために、ロックアーム３を直接押圧することなく、ロック解除具を用いる技術も提案されている（例えば、特許文献１参照。）。
【先行技術文献】
【特許文献】
【０００４】
【特許文献１】特開２００６−７１８８８号公報
【発明の概要】
【発明が解決しようとする課題】
【０００５】
しかしながら、ロックアーム３に設けられた押圧部５により、ロックアーム３の係合段部４への係合を解除する構造では、図７（ｂ）に示すように、コネクタ１の近傍に、突起６等の障害物があった場合、押圧部５と突起６等の障害物との間に指を入れるのが困難となり、押圧部５を指で押圧してコネクタ１のコネクタ２への嵌合状態を解除することができず、コネクタ１をコネクタ２から引き抜くことができなくなることがある。
【０００６】
一方、特許文献１に記載の技術によれば、ロック解除具の後端が、コネクタの後方に延びている。したがって、図７（ｂ）に示したように突起６等の障害物があっても、コネクタ1の解除動作自体は行うことが可能となっている。
しかし、ロック解除具でロックアーム３を確実に操作するため、ロックアーム３の先端部と、ロック解除具の先端部とを、高精度で加工しなければならず、それには手間とコストが掛かるという問題がある。
本発明は、このような技術的課題に基づいてなされたもので、狭い空間でも容易かつ確実に嵌合を解除することができるコネクタを低コストで提供することを目的とする。
【課題を解決するための手段】
【０００７】
かかる目的のもとになされた本発明は、光ファイバまたは電線からなる線状体を受容するコネクタであって、線状体を受容する受容開口を有したハウジングと、ハウジングに設けられ、他の線状体または機器に設けられた他のコネクタと嵌め合う嵌め合い部と、ハウジングに設けられ、嵌め合い部が他のコネクタに嵌め合った状態を維持するため、ハウジングから一方向に延伸し、その先端部に他のコネクタに係止可能な係止突起を有したロックアームと、係止突起以外の延伸部分においてロックアームに一端が連結され、ロックアームを弾性変形させることで係止突起をハウジングの内方に向けて変位させる変位部材と、を備えることを特徴とする。
このようなコネクタは、外力により変位部材を変位操作してロックアームを弾性変形させると、係止突起がハウジングの内方に向けて変位する。すると、他の線状体または機器に設けられた他のコネクタとロックアームとの係止が解除され、ハウジングの嵌め合い部における嵌め合いを解除できる。
ここで、変位部材は、係止突起以外の延伸部分においてロックアームに一端が連結されている。係止突起の部分において変位部材を連結しようとした場合、ロックアームや変位部材の加工や組立に高い精度が要求されてしまうが、係止突起以外の延伸部分で連結することで、これを回避できる。
【０００８】
ロックアームに対する変位部材の連結位置は、係止突起以外の延伸部分であればいかなる位置であっても良いが、ロックアームの中間部に、ロックアームを外力により押圧するための押圧凸部が形成されている場合に、変位部材は、係止突起と押圧凸部との間の領域にてロックアームに連結するのが好ましい。変位部材は、押圧凸部よりも係止突起側、すなわちロックアームの先端部側にて連結されることになり、より大きなモーメントでロックアームを弾性変形させやすい。
【０００９】
ロックアームは、いかなる形状であっても良いが、基端部側から規定長の位置に段部が形成され、段部よりも基端部側の断面積に対し、段部よりも先端部側の断面積が小さく形成されたものとし、変位部材は、段部にてロックアームに連結するのが好ましい。
ロックアームの段部よりも先端部側の断面積が小さく形成されることで、先端部側は基端部側よりも弾性変形しやすくなる。さらに、変位部材は、段部にてロックアームに連結することで、変位部材のロックアームに対する位置決めが容易となる。
【００１０】
このような変位部材は、その機能を果たすことができるのであれば、例えばリンクを有したロッド等であっても良いが、実際的には、繊維質の糸状体またはワイヤを採用するのが好ましい。特に、ケブラー（登録商標）等の、引張強度の高い糸状体を用いるのが好ましい。
このような糸状体やワイヤは、柔軟性を有するので、その取り回しの自由度が高く、またロックアーム等への連結も行いやすい。すなわち、糸状体またはワイヤは、巻き付け、結び付け、または環状にした部分を係止することでロックアームに連結することができる。
【００１１】
コネクタに、他のコネクタに対するコネクタの挿抜方向に沿ってスライド移動可能なスライド部材を設け、変位部材は、スライド部材に他端を連結することができる。これにより、変位部材は一端がロックアームに連結され、他端がスライド部材に連結される。したがって、スライド部材の方向へのスライド移動により、ロックアームを弾性変形させて、係止突起をハウジングの内方に向けて変位させ、他の線状体または機器に設けられた他のコネクタとの係止解除操作を行うことができる。
このとき、スライド部材を、他のコネクタからコネクタを引き抜く方向にスライド移動させたときに、変位部材によりロックアームを引っ張ることでハウジングの内方に向けて弾性変形させるのが好ましい。これにより、コネクタの周囲に干渉物があった場合にも、スライド部材を引っ張ることができるスペースのみ確保できればよい。したがって、スライド部材は、コネクタにおいて、他のコネクタから離間する側に設けるのが好ましい。
【００１２】
ハウジングに装着され、スライド部材のスライド方向を規制するガイド部材をさらに備えることもできる。このようなガイド部材は、既存のハウジングにスライド部材を設ける場合に、スライド部材をスライド自在に設けるために有効である。
そして、スライド部材をコネクタの挿抜方向に沿ってスライド移動させたときに、スライド部材とともに同じ方向に変位する変位部材の変位方向を、ガイド部材により、係止突起をハウジングの内方に向けて変位させる方向に変換する。
【００１３】
また、スライド部材に、このスライド部材をコネクタの挿抜方向にスライド移動させるときに保持するための保持凹部を形成するのが好ましい。ここで、線状体がコネクタにおいて一方向に並列している場合、保持凹部は、線状体の並列方向とは異なる方向に形成するのが好ましい。これにより、一方向に並列した線状体を挟みこむ方向からスライド部材の保持凹部を保持して、スライド部材のスライド操作を行うことができる。
【発明の効果】
【００１４】
本発明によれば、変位部材は、係止突起以外の延伸部分においてロックアームに一端が連結されているので、係止突起の部分において変位部材を連結しようとした場合のように、加工や組立に高い精度が要求されてしまうこともなく、ロックアームと変位部材を確実に連結することができる。その結果、コネクタの加工や組み立てに要する手間とコストを抑えることができる。
【００１５】
また、変位部材として、ケブラー（登録商標）等の、引張強度の高い糸状体を用いることで、取り回しの自由度が高く、またロックアーム等への連結も行いやすい。
【００１６】
さらに、コネクタに、他のコネクタに対するコネクタの挿抜方向に沿ってスライド移動可能なスライド部材を設け、変位部材をスライド部材に連結することで、変位部材によりロックアームとスライド部材を連結することができる。
加えて、ハウジングに装着され、スライド部材のスライド方向を規制するガイド部材をさらに備え、スライド部材をコネクタの挿抜方向に沿ってスライド移動させることで、スライド部材とともに同じ方向に変位する変位部材の変位方向を、ガイド部材により、係止突起をハウジングの内方に向けて変位させる方向に変換することができる。
これにより、スライド部材の前記方向へのスライド移動により、ロックアームを弾性変形させて、係止突起をハウジングの内方に向けて変位させ、他の線状体または機器に設けられた他のコネクタとの係止解除操作を行うことができる。スライド部材のスライド操作方向は他のコネクタに対するコネクタの挿抜方向であるので、狭い空間でも容易かつ確実に嵌合を解除することができる。
【図面の簡単な説明】
【００１７】
【図１】本実施の形態におけるコネクタと、当該コネクタを接続する光モジュールとを示す断面図である。
【図２】図１に示すコネクタの外観を示す斜視図である。
【図３】図１に示すコネクタにおける光ファイバの受容部を示す断面図である。
【図４】コネクタの要部を示す斜視図である。
【図５】コネクタを抜くときの一連の状態の変化を示す図であり、（ａ）は光モジュールにコネクタが接続された状態を示す断面図、（ｂ）はスライド部材をスライドさせてロックアームを弾性変形させ、係止突起による係合を解除した状態を示す断面図である。
【図６】図５に続く状態を示す図であり、（ａ）は、コネクタを光モジュールから引き抜いた状態を示す断面図、（ｂ）はスライド部材を離して元の位置に復帰した状態を示す断面図である。
【図７】（ａ）は従来のコネクタを示す図であり、（ｂ）は干渉物によってコネクタのロック爪の解除操作を行えない場合を示す図である。
【発明を実施するための形態】
【００１８】
以下、添付図面に示す実施の形態に基づいてこの発明を詳細に説明する。
図１は、本実施の形態におけるコネクタ１０の構成を説明するための斜視図である。
図１に示すように、プラグ側のコネクタ１０は、光ファイバ（線状体）２０どうし、あるいは光ファイバ２０を光モジュール３０等のデバイスに接続するもので、リセプタクル側のコネクタ４０に挿入・嵌合される。
【００１９】
図１、図２に示すように、コネクタ１０は、光ファイバ２０の端部に設けられるハウジング１００と、ハウジング１００に固定されるガイド部材２００と、コネクタ１０のコネクタ４０に対する挿抜方向に沿って進退可能に設けられるスライド部材３００と、から構成されている。
本実施の形態においては、コネクタ１０は、２本の光ファイバ２０を受容するものとするが、以下に示す構成は、１本のみ、あるいは３本以上の光ファイバ２０を受容する構成にも適用可能である。
【００２０】
ハウジング１００は、例えば樹脂製である。ハウジング１００には、光ファイバ２０をそれぞれ受容する２個のファイバ受容部１０１Ａ、１０１Ｂが形成されている。図３に示すように、これらファイバ受容部１０１Ａ、１０１Ｂには、略筒状のリセプタクルすなわち挿入開口１０２Ａ、１０２Ｂが形成されている。挿入開口１０２Ａ、１０２Ｂには、フェルール１０５が設けられている。光ファイバ２０の先端部は、フェルール１０５に設けられた筒状の受容部に受容される。
フェルール１０５は、ハウジング１００から筒状に延出するインサート部（嵌め合い部）１０６の内方に位置している。図１に示したように、インサート部１０６は、リセプタクル側のコネクタ４０に形成された受容口４１に挿入可能な断面形状を有している。受容口４１には、フェルールアダプタ４２が設けられており、インサート部１０６を受容口４１に嵌合させたときに、フェルール１０５がフェルールアダプタ４２に挿入され、プラグ側のコネクタ１０とリセプタクル側のコネクタ４０とにおいて、光接続がなされる。
なお、以下の説明において、ハウジング１００においてインサート部１０６が設けられている側を「前方」あるいは「前端側」、インサート部１０６とは反対側の、光ファイバ２０を受容する側を「後方」あるいは「後端側」と適宜称する。
【００２１】
図３に示したように、ハウジング１００の外周面には、挿入開口１０２Ａ、１０２Ｂの一部に連通するスロット１０３が形成されている。スロット１０３は、挿入開口１０２Ａ、１０２Ｂに光ファイバ２０を挿入したときに、スロット１０３内に光ファイバ２０の外周面の一部が露出する。
スロット１０３には、挿入開口１０２Ａ、１０２Ｂに挿入された光ファイバ２０を保持する保持部材１０４が挿入される。保持部材１０４は、ハウジング１００と同材料により形成され、例えば断面Ｕ字状、あるいはＶ字状をなしている。スロット１０３に挿入された保持部材１０４は、断面Ｕ字状、あるいはＶ字状の部分１０４ａで、スロット１０３内に露出した光ファイバ２０を挿入開口１０２Ａ、１０２Ｂの内周面に押し付けることで、光ファイバ２０の端部をハウジング１００で保持する。保持部材１０４は、スロット１０３から抜けないよう、スロット１０３に嵌合されている。
【００２２】
図１、図２、図４に示すように、ハウジング１００の側面１００ａにおいて、二つのファイバ受容部１０１Ａ、１０１Ｂの間には、インサート部１０６を受容口４１に嵌合させたときに、その嵌合状態をロックするためのロックアーム１１０がハウジング１００と一体に形成されている。ロックアーム１１０は、片持ち梁状で、その基端部１１０ａはハウジング１００の後端側においてハウジング１００に一体化され、ハウジング１００の前端側に向けて延びている。これによりロックアーム１１０は、基端部１１０ａを固定端とし、先端部１１０ｂを自由端として、ハウジング１００の側面１００ａに直交する方向に弾性変形可能となっている。
図１に示したように、ロックアーム１１０の先端部１１０ｂには、係止突起１１１が、無負荷状態において、インサート部１０６から外周側に突出するよう形成されている。係止突起１１１は、インサート部１０６を受容口４１に挿入したときに、受容口４１の内周面に形成された段部４３と係合することで、インサート部１０６が受容口４１から抜けるのを防止する。
【００２３】
また、ロックアーム１１０の中間部には、ハウジング１００の側面１００ａよりも突出する押圧凸部１１２が形成されている。この押圧凸部１１２を、ハウジング１００の内方に向けて押圧すると、ロックアーム１１０の先端部１１０ｂ側が基端部１１０ａ側を中心として弾性変形し、係止突起１１１の段部４３との係合が解除され、インサート部１０６を受容口４１から引き抜くこと、つまりプラグ側のコネクタ１０を、リセプタクル側のコネクタ４０から引き抜くことが可能となる。
【００２４】
ロックアーム１１０の先端部１１０ｂの係止突起１１１と、中間部の押圧凸部１１２との間において、ロックアーム１１０には段部１１３が形成されている。ロックアーム１１０は、段部１１３よりも押圧凸部１１２側の断面積に対し、段部１１３よりも係止突起１１１側の断面積が小さくなっている。段部１１３は、後述するロックアーム変位部材（変位部材）４００を係止するために用いられる。したがって、この段部１１３に代えて、ロックアーム１１０にロックアーム変位部材４００を係止するための係止溝等を形成しても良い。ただし、本実施の形態においては、前述の如く段部１１３よりも押圧凸部１１２側の断面積に対し、段部１１３よりも係止突起１１１側の断面積を小さくすることで、ロックアーム１１０の剛性を調整している。
【００２５】
図１、図４に示したように、ハウジング１００の後端部には、ファイバ受容部１０１Ａ、１０１Ｂの間に、前端部に向けて延びる穴１０８が形成されている。
ガイド部材２００は、この穴１０８に挿入されてハウジング１００に装着される。すなわち、ガイド部材２００は、ハウジング１００の後端面１００ｂに沿うベース部２０１と、ベース部２０１から突出し、穴１０８に挿入される挿入ガイド部２０２と、ベース部２０１から挿入ガイド部２０２と平行に延び、ハウジング１００の側面１００ａに沿うアーム部２０３と、が一体に形成されている。
【００２６】
図１に示したように、挿入ガイド部２０２は、穴１０８に挿入されたときに、ロックアーム１１０の下方に位置する。挿入ガイド部２０２は、ベース部２０１側の基端部２０２ａが、穴１０８の断面形状に対応し、先端部２０２ｂ側はロックアーム１１０が弾性変形したときにロックアーム１１０との干渉を避けるため、先端に行くに従いロックアーム１１０から離間する傾斜面２０２ｃとされている。
また、ベース部２０１および挿入ガイド部２０２には、光ファイバ２０の延伸方向と平行に延びる貫通孔２０４が形成されている。貫通孔２０４は、ベース部２０１側の規定長部分が大径部２０４ａとされ、先端部側の残部が小径部２０４ｂとされている。ガイド部材２００は、挿入ガイド部２０２を穴１０８に挿入し、ベース部２０１がハウジング１００の後端面１００ｂに突き当たった状態で、先端部２００ａがロックアーム１１０の段部１１３のほぼ直下に位置する。
【００２７】
また、図２に示したように、アーム部２０３は、二つのアーム２０５Ａ、２０５Ｂに分岐している。これら二つのアーム２０５Ａ、２０５Ｂは、ガイド部材２００をハウジング１００に装着した状態で、ロックアーム１１０を避け、さらに、それぞれの先端部がハウジング１００のスロット１０３を覆うよう形成されている。アーム２０５Ａ、２０５Ｂの先端部には、ハウジング１００に形成された係止凹部１０９に係止される係止爪（図示無し）が突出形成されている。
これにより、ガイド部材２００は、挿入ガイド部２０２がハウジング１００の穴１０８に挿入され、さらにアーム２０５Ａ、２０５Ｂの先端部の係止爪がハウジング１００の係止凹部１０９に係止されることで、ハウジング１００に取り付け固定される。
【００２８】
スライド部材３００は、ブロック状の本体３０１と、本体３０１の側面から一方の側に突出形成されたステム３０２とが一体形成されてなる。
本体３０１は、光ファイバ２０、２０が並列する方向と直交する方向に位置し、対となる二つの側面に湾曲面状の保持凹部３０３、３０３が形成されている。この本体３０１は、スライド部材３００をガイド部材２００に装着した状態で、二本の光ファイバ２０、２０の間に位置し、保持凹部３０３、３０３が、これら光ファイバ２０、２０の一方の側と他方の側とに臨むようになっている。
【００２９】
ステム３０２は、ガイド部材２００の貫通孔２０４の大径部２０４ａに挿入可能な断面形状とされている。ステム３０２を大径部２０４ａに挿入すると、大径部２０４ａと小径部２０４ｂとの境界部分の段部により、ステム３０２の挿入量が規制される。
【００３０】
このようなスライド部材３００の内部には中空の空間３０５と、ステム３０２の中心軸線に沿ってステム３０２の先端部から空間３０５に連通する孔３０６とが形成されている。
空間３０５には、空間３０５を横切るように一方向に延びる支持軸３０７が形成されている。
孔３０６は、空間３０５に対し、接線方向に延びるよう形成されている。孔３０６は、ステム３０２をガイド部材２００の貫通孔２０４に挿入したときに、小径部２０４ｂに連続する。
【００３１】
図２に示したように、このような空間３０５および孔３０６を有したスライド部材３００は、例えば支持軸３０７の軸線に直交する断面に沿って二分割された分割体３０８Ａ、３０８Ｂからなる。二つの分割体３０８Ａ、３０８Ｂは、互いに組み合わせて接着、溶着等の各種の手段により一体に接合されている。
【００３２】
スライド部材３００には、スライド部材３００をハウジング１００から後方に離間する方向にスライドさせたときに、ロックアーム１１０を弾性変形させ、先端部１１０ｂの係止突起１１１をハウジング１００の内方に変位させるため、ロックアーム変位部材４００が設けられている。ロックアーム変位部材４００は、糸状、あるはワイヤ状であり、本実施の形態では、ケブラー（登録商標）繊維製のものを用いるのが好ましい。
このロックアーム変位部材４００は、両端が輪状とされ、一端４００ａ側の輪が支持軸３０７に掛けられ、他端４００ｂ側の輪がロックアーム１１０の段部１１３に掛けられている。そして、ロックアーム変位部材４００は、スライド部材３００の空間３０５から孔３０６、ガイド部材２００の貫通孔２０４を通り、ガイド部材２００の先端部２００ａの貫通孔２０４の出口においてその方向が変換され、ロックアーム１１０の段部１１３に至る。このとき、空間３０５から孔３０６および貫通孔２０４内においてロックアーム変位部材４００が連続する方向と、ガイド部材２００の先端部２００ａの貫通孔２０４の出口からロックアーム１１０の段部１１３に至る部分でロックアーム変位部材４００が連続する方向とは、互いに直交するのが好ましい。
【００３３】
このような構成によれば、プラグ側のコネクタ１０をリセプタクル側のコネクタ４０から引き抜くときには、図５（ａ）に示すように、プラグ側のコネクタ１０をリセプタクル側のコネクタ４０に嵌合させた状態で、スライド部材３００をハウジング１００から後方に離間する方向にスライドさせる。このとき、スライド部材３００は、並列する光ファイバ２０、２０の一方の側と他方の側に露出する保持凹部３０３、３０３をつまみ、プラグ側のコネクタ１０をリセプタクル側のコネクタ４０から引っ張る。
すると、図５（ｂ）に示すように、ハウジング１００およびガイド部材２００に対し、スライド部材３００のみが後方に移動する。すると、スライド部材３００と一体に支持軸３０７がスライドし、一端４００ａが支持軸３０７に掛けられたロックアーム変位部材４００が、その長さ方向、すなわち後方に変位する。
すると、ロックアーム変位部材４００の変位方向は、ガイド部材２００の先端部２００ａの貫通孔２０４の出口において変換され、これによって、ロックアーム１１０の先端部１１０ｂの係止突起１１１がハウジング１００の内方に変位される。その結果、係止突起１１１の段部４３との係合が解除される。
その状態から、スライド部材３００をさらに同じ方向に引っ張ると、図６（ａ）に示すように、インサート部１０６を受容口４１から引き抜くこと、つまりプラグ側のコネクタ１０を、リセプタクル側のコネクタ４０から引き抜くことが可能となる。
この後は、スライド部材３００を離せば、図６（ｂ）に示すように、弾性変形していたロックアーム１１０が元の形状に復帰し、これによって変位部材４００が引っ張られてスライド部材３００が元の状態、つまりガイド部材２００に突き当たった状態に戻る。
【００３４】
このように、ハウジング１００の後方に設けられたスライド部材３００を、後方、つまり光ファイバ２０が導出する方向にスライドさせることでロックアーム１１０とリセプタクル側のコネクタ４０との係合を解除することができる。したがって、プラグ側のコネクタ１０を、リセプタクル側のコネクタ４０に嵌合させた状態で、コネクタ１０の周囲に十分なスペースが確保できない場合であっても、コネクタ１０のロックを容易かつ確実に解除して、コネクタ４０から引き抜くことができる。
【００３５】
また、ロックアーム変位部材４００を、支持軸３０７とロックアーム１１０の段部１１３に掛けることでロックアーム１１０を操作できる構造が実現できるので、ガイド部材２００、スライド部材３００、ロックアーム変位部材４００は、特に高精度とすることなく、低コストで上記効果を有するコネクタ１０を得ることができる。
しかも、ガイド部材２００、スライド部材３００、ロックアーム変位部材４００を、既存のハウジング１００に合わせて設計することで、ハウジング１００については設計変更することなくそのまま用いることが可能である。また、そのようなガイド部材２００、スライド部材３００、ロックアーム変位部材４００は、既存のコネクタ１０のハウジング１００にも装着することが可能である、という効果も得られる。
【００３６】
なお、上記実施の形態では、コネクタ１０の各部についてその構成を説明したが、本発明の主旨を逸脱しない範囲内であれば、各部の形状や構造を適宜変更しても良い。
また、光ファイバ２０のコネクタ１０に本発明を適用したが、電線等のコネクタにも本発明を適用することが可能である。
これ以外にも、本発明の主旨を逸脱しない限り、上記実施の形態で挙げた構成を取捨選択したり、他の構成に適宜変更することが可能である。
【符号の説明】
【００３７】
１０…コネクタ、２０…光ファイバ（線状体）、３０…光モジュール、４０…コネクタ、１００…ハウジング、１０２Ａ、１０２Ｂ…挿入開口、１０６…インサート部（嵌め合い部）、１１０…ロックアーム、１１０ｂ…先端部、１１１…係止突起、１１２…押圧凸部、１１３…段部、２００…ガイド部材、２００ａ…先端部、２０４…貫通孔、３００…スライド部材、４００…ロックアーム変位部材（変位部材）、４００ａ…一端、４００ｂ…他端
【図１】
2010170749.tif 000003
【図２】
2010170749.tif 000004
【図３】
2010170749.tif 000005
【図４】
2010170749.tif 000006
【図５】
2010170749.tif 000007
【図６】
2010170749.tif 000008
【図７】
2010170749.tif 000009